(57)【要約】【課題】記録媒体に記録されている情報データの所定部位を繰り返し再生する場合等における操作性を向上する。【解決手段】ディスク１に記録されている任意の情報データの再生中に曲分割開始キー１９が操作されたとき、システムコントロール用マイクロコンピュータ９が、この操作が行われたときの再生中である情報データ中の位置を分割点とし、その分割点が情報データの前側部分の終点位置および後側部分の始点位置となるように、ディスク１のＵ−ＴＯＣ情報を書き換える。【選択図】　図１
2004005963.tif 000002
【特許請求の範囲】
【請求項１】
始点位置と終点位置とで規定される情報データを一単位とし、情報データ記録領域にＬ個の情報データが記録されており、各情報データ始点位置と終点位置とを示すデータが目次領域に記録されている記録媒体を用いる一方、目次領域から読み取られたデータに基づいて情報データ記録領域から所望の情報データを再生する記録再生装置において、
所望の情報データの再生中に１つの分割点を指定する分割開始キーと、
上記分割開始キーの操作により指定した分割点を表す位置情報を記憶する記憶手段と、
上記指定した分割点を調節する分割点調節キーと、
分割点に対応する分割位置を決定する分割決定キーとを備え、
さらに、上記Ｌ個の情報データのうちＮ（正の整数）番目の情報データの再生中に上記分割開始キーを操作して分割点を指定した後分割点調節キーを操作したとき、当該分割点調節キーの操作に応じて分割点を移動させ、当該移動された分割点の位置情報を上記記憶手段に記憶された位置情報に置き換える一方、上記分割決定キーを操作したとき、上記記憶手段に記憶された位置情報に基づく分割位置を情報データの前側部分の終点位置および後側部分の始点位置とするデータを上記記録媒体の目次領域に記録する制御手段を設けたことを特徴とする記録媒体再生装置。
【請求項２】
上記制御手段は、上記分割開始キーの操作により上記分割点の仮指定位置がＮ番目の情報データ中に設定されたとき、当該情報データにおける仮指定位置付近の所定部分が再生されるように制御するものであることを特徴とする請求項２に記載の情報再生装置。
【発明の詳細な説明】
【０００１】
【発明が属する技術分野】
本発明は、音声データ等の情報データを記録し、再生する記録再生装置に関するものである。
【０００２】
【従来の技術】
従来、音声等の情報データが記録されている記録媒体としてのディスクを再生する装置として、いわゆるコンパクトディスク（以下、ＣＤと称する）を再生するＣＤ装置が知られている。このようなＣＤ装置において、ＣＤに記録されている多数の曲の中から選択した所定の曲を再生しようとする場合には、入力キーによってその曲の曲番等を指定することにより、自動的にその曲を再生可能となっている。
【０００３】
また、この種の他の装置としては、記録媒体として光磁気ディスクであるいわゆるミニディスク（以下、ＭＤと称する）を使用し、このＭＤへの記録およびその再生が可能なＭＤ装置が知られている。このＭＤ装置は、音声データ等の情報データを時間軸圧縮してＭＤにディジタル記録し、ＭＤに記録されている情報データを読み出して時間軸伸長し、再生を行うものとなっている。このようなＭＤ装置では、ＭＤに記録した曲の終点部にその曲の終点を示す終点情報を記録することができるので、ＭＤに記録されている多数の曲の中から選択した所定の曲を再生しようとする場合、入力キーの操作に基づいて上記の終点情報を検出することにより、同様に、所定の曲の自動的な再生も可能となっている。
【０００４】
【発明が解決しようとする課題】
ところが、上記のＣＤ装置において、選択した曲の所定の部分を繰り返し再生する場合には、早送りあるいは巻戻しによってその部分を探す操作が必要であり、この操作が非常に面倒なものとなっている。また、所定の曲中の指定された部分をメモリに記憶する機能を備えているＣＤ装置においては、入力キーの操作によって自動的にその部分を再生することが可能であるものの、電源を切ったり、そのＣＤを装置から取り出した場合には、上記のメモリの記憶内容が消去されるので、再度記憶する作業が必要となっている。そして、このような問題は、ＭＤ装置においても同様である。
【０００５】
【課題を解決するための手段】
本発明は上記の課題を解決するために、始点位置と終点位置とで規定される情報データを一単位とし、情報データ記録領域にＬ個の情報データが記録されており、各情報データ始点位置と終点位置とを示すデータが目次領域に記録されている記録媒体を用いる一方、目次領域から読み取られたデータに基づいて情報データ記録領域から所望の情報データを再生する記録再生装置において、所望の情報データの再生中に１つの分割点を指定する分割開始キーと、上記分割開始キーの操作により指定した分割点を表す位置情報を記憶する記憶手段と、上記指定した分割点を調節する分割点調節キーと、分割点に対応する分割位置を決定する分割決定キーとを備え、さらに、上記Ｌ個の情報データのうちＮ（正の整数）番目の情報データの再生中に上記分割開始キーを操作して分割点を指定した後分割点調節キーを操作したとき、当該分割点調節キーの操作に応じて分割点を移動させ、当該移動された分割点の位置情報を上記記憶手段に記憶された位置情報に置き換える一方、上記分割決定キーを操作したとき、上記記憶手段に記憶された位置情報に基づく分割位置を情報データの前側部分の終点位置および後側部分の始点位置とするデータを上記記録媒体の目次領域に記録する制御手段を設けたことを特徴とする。
【０００６】
従って、本発明によれば、情報データの再生中に分割点を指定すると、制御手段がその分割点を指定したときの再生中である情報データ中の位置を分割位置として記憶手段に記憶し、この状態で分割点調節キーを操作したとき分割位置を記憶手段上にて移動させ、分割決定キーを操作したとき記憶手段に記憶された分割位置を情報データの前側部分の終点位置および後側部分の始点位置とするデータを記録媒体の目次領域に記録するので、分割点の位置調整を簡単且つ迅速に行うことができる。また、装置本体の電源をＯＦＦしたり、装置本体から記録媒体を取り出した場合であっても、記録媒体の目次領域に記録されたデータに基づいて前側部分又は後側部分の情報データを個別に再生することができる。
【０００７】
また、本発明は上記の課題を解決するために、上記の構成に加え、上記制御手段は、上記分割開始キーの操作により上記分割点の仮指定位置がＮ番目の情報データ中に設定されたとき、当該情報データにおける仮指定位置付近の所定部分が再生されるように制御するものであることを特徴とする。
【０００８】
従って、本発明によれば、分割点を指定した後分割位置を決定する前に分割点を確認できるので、分割位置を正確に決定するための分割点微調整の参考とすることができる。
【０００９】
【発明の実施の形態】
本発明の一実施の形態を図１ないし図７に基づいて以下に説明する。
【００１０】
本実施の形態のディスク記録再生装置としてのＭＤ装置は、図１に示すように構成されている。このＭＤ装置は、記録媒体としてのディスク１と光ピックアップ２とＲＦアンプ３とを備えている。ディスク１は、書き換え可能な光磁気ディスクからなり、情報データ記録領域としての音声データ記録領域に情報データとしての音声データが記録されている。光ピックアップ２は、ディスク１に対してレーザ光を照射することにより、ディスク１に記録されているデータを読み出し、またディスク１に対して磁気ヘッド１６と共にデータを記録するものとなっている。ＲＦアンプ３は、光ピックアップ２により読み出された音声データを増幅するとともに、この音声データから、フォーカスエラー信号およびトラッキングエラー信号等のサーボ制御信号を生成している。
【００１１】
また、ＭＤ装置は、エンコーダ・デコーダ・信号処理回路４と、メモリコントローラ５と、ショックプルーフメモリ６と、音声伸長・圧縮回路７と、Ｄ／Ａ・Ａ／Ｄコンバータ８とを備えている。
【００１２】
上記のエンコーダ・デコーダ・信号処理回路４は、再生時、ＲＦアンプ３から入力された音声データを復調するとともに、誤り訂正等の信号処理を行う一方、記録時、メモリコントローラ５を経て入力した音声データに対して、誤り訂正符号の付加等の信号処理を行っている。メモリコントローラ５は、再生時、エンコーダ・デコーダ・信号処理回路４から入力された音声データをショックプルーフメモリ６に書き込む一方、このショックプルーフメモリ６に記憶されている音声データを読み出し、音声伸長・圧縮回路７に出力している。また、メモリコントローラ５は、記録時、音声伸長・圧縮回路７から入力した音声データをショックプルーフメモリ６に書き込む一方、このショックプルーフメモリ６に記憶されている音声データを読み出し、エンコーダ・デコーダ・信号処理回路４に出力している。ショックプルーフメモリ６は、再生時にエンコーダ・デコーダ・信号処理回路４で処理された音声データを一時的に記憶し、記録時に音声伸長・圧縮回路７の圧縮回路で処理された音声データを一時的に記憶するものである。音声伸長・圧縮回路７は、音声伸長回路にて、ショックプルーフメモリ６から読み出された圧縮されている音声データを時間軸伸長する一方、音声圧縮回路にて、Ｄ／Ａ・Ａ／Ｄコンバータ８のＡ／Ｄコンバータから入力されたディジタル信号をＡＴＲＡＣ（Ａｄａｐｔｉｖｅ　　Ｔｒａｎｓｆｏｒｍ　　Ａｃｏｕｓｔｉｃ　　Ｃｏｄｉｎｇ）と呼ばれるＭＤの情報圧縮技術により約１／５にデータ圧縮している。Ｄ／Ａ・Ａ／Ｄコンバータ８は、Ｄ／Ａコンバータにて、音声伸長・圧縮回路７の音声伸長回路から入力された音声データをアナログ信号に変換して音声信号を生成し、音声出力端子１７に供給する一方、Ａ／Ｄコンバータにて、音声入力端子１８から入力されたアナログの音声信号をディジタル信号に変換して音声伸長・圧縮回路７の音声圧縮回路に供給している。
【００１３】
さらに、ＭＤ装置は、制御手段としてのシステムコントロール用マイクロコンピュータ（以下、システムコントロールマイコンと称する）９と、サーボ回路１０と、ドライバ回路１１と、スピンドルモータ１２と、送りモータ１３と、電源ＯＮ／ＯＦＦ回路１４と、ヘッド駆動回路１５と、磁気ヘッド１６と、曲分割開始キー１９と、曲分割終了キー２０と、分割点調整キー２１と、報知音発生器２２とを備えている。
【００１４】
上記のシステムコントロールマイコン９は、曲分割開始キー１９、曲分割入力キー２０および分割点調節キー２１からの入力等に基づいて、後述のように、エンコーダ・デコーダ・信号処理回路４、サーボ回路１０、メモリコントローラ５、電源ＯＮ／ＯＦＦ回路１４および報知音発生器２２の作動を制御するものとなっている。
【００１５】
サーボ回路１０は、ＲＦアンプ３から入力されたサーボ制御信号とシステムコントロールマイコン９から入力されたコントロール信号とに基づいて、フォーカスサーボ、トラッキングサーボ、シークサーボおよびスピンサーボが行われるように、ドライバ回路１１を制御している。ドライバ回路１１はサーボ回路１０からのコントロール信号に基づいて、スピンドルモータ１２および送りモータ１３を駆動している。スピンドルモータ１２はディスク１を回転させ、送りモータ１３は光ピックアップ２およびこの光ピックアップ２と例えば一体的に移動するように設けられた磁気ヘッド１６をディスク１の半径方向へ移動させるものである。ヘッド駆動回路１５は磁気ヘッド１６を駆動し、磁気ヘッド１６は光ピックアップ２と共にディスク１への信号の記録を行うものである。
【００１６】
また、曲分割開始キー１９は、再生動作中においてシステムコントロールマイコン９に対し曲分割動作の開始を指令するものである。分割点調節キー２１は、分割点前進キーと分割点後退キーとからなり、これらの操作によって分割点の移動をシステムコントロールマイコン９に指令し、分割点の位置を調節するためのものである。曲分割入力キー２０は、曲分割開始キー１９あるいは分割点調節キー２１によって設定された分割点の記録をシステムコントロールマイコン９に指令するためのものである。
【００１７】
そして、本実施の形態においては、光ピックアップ２、送りモータ１３、ドライバ回路１１およびサーボ回路１０により再生手段が構成され、これら光ピックアップ２、送りモータ１３、ドライバ回路１１およびサーボ回路１０とヘッド駆動回路１５および磁気ヘッド１６とにより記録手段が構成されている。
【００１８】
上記の構成において、本装置の再生時には、スピンドルモータ１２によりディスク１が回転駆動されるとともに、送りモータ１３により光ピックアップ２がディスク１の半径方向へ送られ、光ピックアップ２によりディスク１に記録されている音声データが読み出される。この音声データは、ＲＦアンプ３により増幅されエンコーダ・デコーダ・信号処理回路４に出力される。
【００１９】
また、ＲＦアンプ３では、上記の音声データによりフォーカスエラー信号およびトラッキングエラー信号等のサーボ制御信号が生成され、サーボ回路１０は、ＲＦアンプ３から入力されたサーボ制御信号とシステムコントロールマイコン９から入力されたコントロール信号とに基づいて、フォーカスサーボ、トラッキングサーボおよびスピンドルモータ１２のサーボ等が行われるように、ドライバ回路１１を制御する。これにより、ドライバ回路１１にて光ピックアップ２、送りモータ１３およびスピンドルモータ１２が駆動される。
【００２０】
一方、ＲＦアンプ３から出力された音声データは、エンコーダ・デコーダ・信号処理回路４にて復調され、誤り訂正等の信号処理が行われて、メモリコントローラ５によりショックプルーフメモリ６に一旦書き込まれる。その後、上記の音声データは、メモリコントローラ５によりショックプルーフメモリ６から読み出され、音声伸長・圧縮回路７の音声伸長回路にて時間軸伸長される。この音声データは、Ｄ／Ａ・Ａ／Ｄコンバータ８のＤ／Ａコンバータにてアナログ信号に変換され、音声信号として出力端子１７から出力される。
【００２１】
また、ディスク１への記録時には、音声入力端子１８から入力されたアナログの音声信号が、Ｄ／Ａ・Ａ／Ｄコンバータ８のＡ／Ｄコンバータにてディジタル信号に変換され、音声伸長・圧縮回路７の音声圧縮回路にて約１／５にデータ圧縮される。この音声データは、メモリコントローラ５にてショックプルーフメモリ６に一旦書き込まれ、その後、メモリコントローラ５により読み出される。ショックプルーフメモリ６から読み出された音声データは、エンコーダ・デコーダ・信号処理回路４にて変調および誤り訂正用符号の付加等の処理が行われ、このとき同時に、磁気ヘッド１６の磁界が付与されているディスク１の部位に光ピックアップ２から、再生時よりも大きい出力のレーザ光が照射される。これにより、音声データがディスク１に記録される。
【００２２】
次に、本装置の曲分割動作について説明する。
【００２３】
ＭＤであるディスク１には、最内周側にディスク１の目次となる領域であってＴＯＣ（Ｔａｂｌｅ　　Ｏｆ　　Ｃｏｎｔｅｎｔｓ）と称するリードイン領域が形成され、このリードイン領域直後の外周側に、ユーザ側で書き換え可能なユーザＴＯＣ領域（以下、Ｕ−ＴＯＣ領域と称する）が形成されている。このＵ−ＴＯＣ領域には概略的に示すと図２のようにデータが記録されている。同図において、ＰＴＮＯ．ｎは、ｎ番目の曲が記録されている位置のアドレスデータが記録されているＵ−ＴＯＣ領域内の場所を示す値であり、Ａ、Ｂ、Ｃ…には、１曲目、２曲目、３曲目、……に演奏される曲が記録されている音声データ記録領域内のアドレスの最初と最後の値が記録されている。従って、再生の際には、先ず、ディスク１のＵ−ＴＯＣ領域からＰＴＮＯ．１のデータが読み取られ、次に、Ａにあるアドレスが読み取られることにより１曲目が再生され、続いて、ＰＴＮＯ．２のデータが読み取られ、次に、Ｂにあるアドレスが読み取られることにより２曲目が再生され、以下同様にして順次再生が行われる。
【００２４】
ここで、ディスク１における音声データ記録領域に、図３に模式的に示すように曲が記録され、これに対応して、Ｕ−ＴＯＣの内容が図４に示すようになっているものとする。尚、図３において、ＴＮＯ．１、ＴＮＯ．２、ＴＮＯ．３、ＴＮＯ．４、…はトラックナンバーを示し、その下の数字は曲が記録されている位置のアドレスを示す。この場合、ディスク１の再生は、ＴＮＯ．１→ＴＮＯ．２→ＴＮＯ．３→ＴＮＯ．４→…の順序で行われる。また、図４のＳＴはその曲が記録されている位置のスタートアドレスを示し、ＥＮＤはエンドアドレスを示す。
【００２５】
上記のような記録状態において、ディスク１に記録されている所定の曲を複数に分割する際には、その曲の再生中に、分割したいところで曲分割開始キー１９をＯＮし、その部分を分割点として指定する。このとき、曲分割開始キー１９をＯＮすると、この操作によって指定された分割点の位置がショックプルーフメモリ６に記憶され、この分割点に対する前後の３秒間の部分が繰り返し再生される。この再生動作において、上記の曲分割点が再生される瞬間に報知音発生器２２から報知音が発せられる。また、分割点調節キー２１における分割点前進キーまたは分割点後退キーを操作することにより、上記の分割点を移動させることができる。即ち、分割点前進キーまたは分割点後退キーの１回の操作毎に、ショックプルーフメモリ６に記憶されている分割点としてのデータが更新される。このときの動作を模式的に示すと図５に示すものとなる。尚、本実施の形態において、上記の分割点前進キーあるいは分割点後退キーの１回の操作により分割点は前方向あるいは後方向へ０．３秒分のデータ刻みで移動するものとしている。
【００２６】
その後、曲分割入力キー２０がＯＮされると、分割点を示すデータがディスク１上の最終的に指定された位置に記録される。また、これに応じてディスク１のＵ−ＴＯＣ領域のデータが書き換えられる。即ち、図３に示した状態において、例えば３曲目が途中で分割された場合、図６に示すように、ＴＮＯ．３が新たなＴＮＯ．３とＴＮＯ．４とに分割され、これに伴って図３のＴＮＯ．４は図４のＴＮＯ．５となるように、それ以降のＴＮＯ．が１ずつずれる。また、Ｕ−ＴＯＣ領域においては、図４に示した状態から図７に示すように、ＴＮＯ．３およびＴＮＯ．４のスタートアドレスとエンドアドレスとが変更される。また、これに伴ってそれ以降のＴＮＯ．とアドレスとの対応関係がずれる。即ち、再生される曲順が変更される。
【００２７】
上記のように、ディスク１上に分割点が記録されることにより、ディスク１の所定の曲を複数に分割することができ、また、この動作に応じてＵ−ＴＯＣ情報が書き換えられるので、このＵ−ＴＯＣ情報を読み込むことにより上記の分割点の位置に光ピックアップ２を即座に移動させることができ、その部分からの再生を迅速に行うことができる。また、電源をＯＦＦし、あるいはディスク１をディスク記録再生装置から取り出すようなことがあっても、上記の分割点およびＵ−ＴＯＣ情報はディスク１に記録されているので消去されず、再度の記録動作を行うことなく、分割点からの再生が可能である。
【００２８】
尚、上記の実施の形態においては、曲分割点をディスク１に記録することにより曲を分割する動作と、分割された曲の前側部分と後側部分のアドレスをＵ−ＴＯＣに記録する動作とを行うものとなっているが、前者のみあるいは後者のみを行う構成としてもよい。例えば、前者のみを行う構成では、上記の曲分割点を光ピックアップ２からの出力に基づいて検索すれば、曲分割点が設定された位置を容易に再生することができる。また、後者のみを行う構成では、Ｕ−ＴＯＣを読み取り、分割された曲の後側部分を再生することにより、曲分割点が設定されるべき位置を容易に再生することができる。
【００２９】
また、上記の実施の形態においては、曲分割開始キー１９を操作した後、曲分割入力キー２０を操作することによってディスク１に曲分割点が記録されるものとなっているが、曲分割開始キー１９を操作することなく曲分割入力キー２０を操作したときに、この曲分割入力キー２０を操作したときのディスク１上における再生中の曲の位置に曲分割点が即座に記録されるものとしてもよい。また、曲分割点を報知音により報知する報知音発生器２２に代えて、例えば光により曲分割点を報知する手段を備えてもよい。
【００３０】
【発明の効果】
以上のように、本発明によれば、装置本体の電源をＯＦＦしたり、装置本体から記録媒体を取り出した場合であっても、記録媒体の目次領域に記録されたデータに基づいて前側部分又は後側部分の情報データを個別に再生することができるため、記録媒体に記録されている情報データの所定部位を繰り返し再生する場合等における操作性を向上することができる。
【００３１】
また、本発明によれば、分割点の位置調整を簡単且つ迅速に行うことができるため、記録媒体に記録されている情報データの所定部位を抽出する際の操作性を向上することができる。
【図面の簡単な説明】
【図１】本発明の一実施の形態における記録再生装置の全体構成を示すブロック図である。
【図２】図１に示したディスクのユーザＴＯＣ領域におけるデータの記録状態を示す概略の説明図である。
【図３】上記のディスクの音声データ記録領域における分割点設定前のデータの記録状態を示す概略の説明図である。
【図４】図２に示したユーザＴＯＣ領域における記録状態に対応したデータの具体的な記録例を示す概略の説明図である。
【図５】上記のディスクに記録されている所定の曲に対する分割動作の説明図である。
【図６】図３に示した音声データ記録領域における分割点設定後のデータの記録状態を示す概略の説明図である。
【図７】図４に示したユーザＴＯＣ領域における図６の記録状態に対応したデータの具体的な記録例を示す概略の説明図である。
【符号の説明】
１　　　ディスク
２　　　光ピックアップ
６　　　ショックプルーフメモリ
９　　　システムコントロール用マイクロコンピュータ
１０　　　サーボ回路
１１　　　ドライバ回路
１３　　　送りモータ
１５　　　ヘッド駆動回路
１６　　　磁気ヘッド
１９　　　曲分割開始キー
２０　　　曲分割入力キー
２１　　　分割点調節キー
２２　　　報知音発生器
【図１】
2004005963.tif 000003
【図２】
2004005963.tif 000004
【図３】
2004005963.tif 000005
【図４】
2004005963.tif 000006
【図５】
2004005963.tif 000007
【図６】
2004005963.tif 000008
【図７】
2004005963.tif 000009